(57)【特許請求の範囲】
【請求項１】
Ｘ線発生器の焦点と検出器の距離が固定され、前記焦点から前記検出器に向けて拡がりをもったビームにより透視画像の撮影を行うＸ線撮影装置であって、
検体が載置されるトレイと、
前記焦点から複数のあらかじめ定められた距離の位置において前記トレイを支持するため、その距離ごとに設けられた、前記トレイを取り外し可能に受け入れる受け入れ部を有する支持部と、
を有し、
前記トレイには、前記受け入れ部にそれぞれ対応して、その受け入れ部により支持された際の前記ビームの照射範囲を示すマークが付され、前記トレイが前記受け入れ部に支持される前に、前記トレイに載置された検体と前記マークの位置関係から当該トレイが支持されるべき前記受け入れ部が示される、
Ｘ線撮影装置。
【請求項２】
請求項１に記載のＸ線撮影装置であって、
前記支持部は、当該支持部の各受け入れ部が受け入れたトレイが、階段状の位置となるように各トレイを支持し、
前記各受け入れ部に対応して付された照射範囲を示す各々のマークは、一部が同一位置を示している、
Ｘ線撮影装置。
【請求項３】
請求項１に記載のＸ線撮影装置であって、
前記ビームはファンビームであって、このファンビームが作る平面と交差する方向に走査されて撮影を行い、
前記支持部は、前記ファンビームの一方の境界に対応した前記マークが、前記各受け入れ部に関し、共通のマークとなるように前記トレイを支持する、
Ｘ線撮影装置。
【請求項４】
Ｘ線発生器の焦点から検出器に向けてファンビームを照射して透視画像の撮影を行うＸ線撮影装置であって、
前記焦点と前記検出器を、これらの距離が一定となるように支持する装置本体と、
前記焦点を、ファンビームが作る平面に交差する方向に移動させてファンビームを走査する走査機構と、
検体が載置されるトレイと、
前記装置本体に備えられ、ファンビームの照射範囲であって、前記焦点からあらかじめ定められた複数の距離の位置に前記トレイを支持するため、その距離ごとに設けられた、前記トレイを取り外し可能に受け入れる受け入れ部と、
を有し、
前記トレイには、前記受け入れ部のそれぞれに対応して、その受け入れ部に受け入れられたときの、走査されるファンビームの照射幅の両端を示すマークが付され、
複数の前記受け入れ部は、前記マークのうち、照射幅の一方の端に対応するマークが前記各受け入れ部で共通のマークとなるように、階段形状に配置され、
前記トレイが前記受け入れ部に支持される前に、前記トレイに載置された検体と前記マークの位置関係から当該トレイが支持されるべき前記受け入れ部が示される、
Ｘ線撮影装置。
【請求項５】
Ｘ線発生器の焦点から検出器に向けて拡がりをもったビームにより透視画像の撮影を行うＸ線撮影装置であって、
焦点と検出器を、これらの距離が一定となるように支持する装置本体と、
装置本体の一部であり、検体を載置する載置台と、
前記載置台と検出器の間の、あらかじめ定められた前記焦点からの距離ごとの複数の位置に、取り外し可能に装置本体に対し装着され、検体が載置されるトレイと、
を有し、
前記トレイには、当該トレイが装着された位置における前記ビームの照射範囲を示すマークが付され、前記トレイが装着される前に、前記トレイに載置された検体と前記マークの位置関係から当該トレイを装着すべき位置が示される、
Ｘ線撮影装置。
【発明の詳細な説明】
【技術分野】
【０００１】
本発明は、Ｘ線撮影装置に関し、特にその構造に関する。
【背景技術】
【０００２】
Ｘ線発生器の焦点から検出器に向けて拡がりをもったＸ線のビームにより透視画像を撮影するＸ線撮影装置が知られている。下記特許文献１には、前腕等の検体の透視画像を得る装置が記載されており、これらの装置においては、載置台に置かれた検体に対し、下方からＸ線を照射して、上方に配置された検出器にて透視画像を取得している。
【０００３】
【特許文献１】特開平８−２８０６５８号公報（段落００３０等）
【発明の開示】
【発明が解決しようとする課題】
【０００４】
拡がりをもったビームを利用する場合、検体を置く位置、すなわちビームの焦点からの距離を変えることで、拡大率を変えることができる。一方、焦点からの距離を変えると、ビームの照射範囲、すなわち撮影範囲も変わる。検体を置く位置を、焦点からある距離の位置としたとき、どの範囲が撮影されるのかは、操作者にはわかりにくい。
【０００５】
本発明は、検体を置く位置（焦点からの距離）と、ビームの照射範囲の関係を操作者にわかりやすくすることを目的とする。
【課題を解決するための手段】
【０００６】
本発明に係るＸ線撮影装置は、検体が載置されるトレイを、Ｘ線発生器の焦点から、あらかじめ定められた複数の距離の位置において支持できるようにする。この距離ごとのビーム照射範囲を示すマークをトレイに付す。操作者は、検体をトレイに載置し、この検体とマークの関係をみて、その検体および撮影範囲に適した位置にトレイを置く。
【０００７】
より具体的には、Ｘ線撮影装置は、焦点からあらかじめ定められた複数の距離ごとに、トレイを受け入れる受け入れ部を備えた支持部を有するようにできる。マークは、この受け入れ部に対応して付されており、操作者は、マークにより示されるビームの照射範囲を目安にして、トレイを装着する受け入れ部を決めることができる。
【０００８】
また、各受け入れ部が受け入れたトレイが、階段状の位置となるようにすることができる。この階段状の配置は、各受け入れ部に対応して付されたマークの一部が同一の位置を示すようになるような配置である。例えば、ビームの照射範囲が帯状の範囲であり、マークがその帯状の範囲の両側の境界の位置を示すものである場合、一方の側の境界を示すマークが、どの受け入れ部に対応するマークにおいても同じ位置に付されるようにできる。
【０００９】
本発明の他の態様に係るＸ線撮影装置は、Ｘ線発生器の焦点に最も近い位置の検体が載置される位置は、装置本体の上面として形成される載置台であり、これより離れた位置に検体を載置するために、装置本体に対し取り外し可能に装着されるトレイを有する。このトレイには、当該トレイが装着された位置におけるビームの照射範囲に対応したマークが付されている。
【発明の効果】
【００１０】
本発明によれば、検体が置かれる位置とＸ線のビームの照射範囲の関係を操作者にわかりやすく提示することができる。
【発明を実施するための最良の形態】
【００１１】
以下、本発明の実施形態を、図面に従って説明する。図１は本実施形態のＸ線撮影装置１０の外観図、図２は装置内部のＸ線撮影に係る構成の概略を示す図である。Ｘ線撮影装置１０は、本体１２と、本体１２に対し着脱可能なトレイ１４を含む。トレイ１４には検体が載置され、この状態で本体１２に装着して撮影を行う。本体１２は、基部１６と、基部１６に立設された柱部１８と、柱部１８から基部１６に対向するように延びる腕部２０を有している。基部１６、柱部１８、腕部２０は、側方から見たときに略「コ」の字の形を形成し、コの字の開放した側から、トレイ１４を受け入れる。さらに、本体１２の基部１６と腕部２０に挟まれた部分には、トレイ１４を受け入れる受け入れ部２２を有し、受け入れたトレイ１４を支持する支持フレーム２４が配置されている。支持フレーム２４は、本体１２に対し取り外し可能に固定されることが好ましい。取り外すことにより、トレイ１４に収まらない検体の撮影もできるようになる。しかし、恒久的に固定されてもよく、また本体１２と一体に形成されてもよい。この支持フレーム２４の受け入れ部２２に対し、図の矢印Ｙの方向よりトレイ１４を挿入して、支持フレーム２４に装着する。本実施形態の支持フレーム２４は、３個の受け入れ部２２を有するが、その数については適宜変更することができる。なお、トレイ１４および支持フレーム２４は、Ｘ線が透過する材料により形成されている。
【００１２】
図２に示されるように、本体１２内には、Ｘ線発生器２６およびこれに電力を供給する電源２８が収納されている。Ｘ線発生器２６は、焦点３０から扇形に拡がる、いわゆるファンビームのＸ線を照射する。腕部２０内には、検出器３２が収納されており、この検出器３２にてＸ線発生器２６から照射されたＸ線が検出される。検出器３２は、ファンビームの形状に対応して、１次元アレイの検出素子を含む。Ｘ線発生器２６と検出器３２は、ブラケット３４により結合されており、本体１２の中を一体となって移動する。この移動の方向は、図２の紙面を貫く方向であり、ファンビームの形成する平面に交差する方向、好ましくは直交する方向である。Ｘ線発生器２６によりＸ線を照射し、検出器３２で検出しつつ、Ｘ線発生器２６と検出器３２を一体に移動させることで、Ｘ線ファンビームを走査し、２次元のＸ線データを収集することができる。このデータは、制御部３６に取り込まれ、所定の処理が実行され、透視画像が形成される。
【００１３】
図２においては、支持フレーム２４は、その大部分が省略された状態で描かれており、受け入れ部２２の位置が、受け入れ部に受け入れられたトレイ１４を描くことによって表されている。図示するように、受け入れ部２２は３つ設けられ、下から順に、すなわちＸ線の焦点３０から近い順に２２Ａ，２２Ｂ，２２Ｃの符号を付す。この２２Ａ〜Ｃの符号は、３つの受け入れ部を区別して説明する必要があるとき用い、その必要がないときには、今まで通り、単に符号２２を用いて説明する。トレイ１４を一番下の受け入れ部２２Ａに装着したとき、トレイ１４上のファンビームの照射領域は狭く、大きい検体の全体を撮影することはできない。しかし、拡大率は大きくなり、また分解能も向上する。一方、トレイ１４を一番上の受け入れ部２２Ｃに装着したときには、ファンビームの照射領域は広く、大きい検体を撮影できるが、分解能は悪化する。中間の受け入れ部２２Ｂに装着した場合には、照射範囲、拡大率等、中間的な値となる。
【００１４】
トレイ１４は、支持フレーム２４に対して、机等の引き出しのように出し入れが可能となっている。このＸ線撮影装置１０では、一方が開放した箱状の支持フレーム２４の開放面に、３つの開口が形成され、ここにトレイ１４が挿入される。トレイ１４は、机の引き出しのように、全てが支持フレーム２４に収まるように、受け入れ部２２を構成してもよいが、このＸ線撮影装置１０においては、トレイ１４の奥側の一部のみ受け入れ、ここでトレイ１４を片持ち支持するように構成されている。また、トレイ１４を、その挿入方向（矢印Ｙの方向）に対して左右に設けられたレール状のガイドにより支持するようにもできる。
【００１５】
トレイ１４の挿入方向において、支持フレーム２４の奥には、ストッパ３８が設けられている。ストッパ３８は階段形状であり、その各段が一対一に受け入れ部２２Ａ〜Ｃに対応している。受け入れ部２２Ａ，２２Ｂ，２２Ｃにそれぞれ対応する段を符号３８Ａ，３８Ｂ．３８Ｃで示す。このストッパ３８の階段形状により、各受け入れ部２２に受け入れられたトレイ１４は、ストッパ３８に当接することによって階段状の配置となる。ただし、トレイ１４は、複数同時に支持フレーム２４に装着されるのではなく、一つが、各受け入れ部に付け替えられて使用される。したがって、ここでの階段状の配置とは、仮に、各受け入れ部２２それぞれにトレイ１４を装着した場合、トレイ１４が階段状になることを意味している。図２においては、中段の受け入れ部２２Ｂにトレイ１４を装着した場合が示されており、受け入れ部２２Ａ，Ｃには、仮想的に、装着した場合のトレイ１４が一点鎖線で示されている。ストッパ３８の階段の傾きは、ファンビーム４０の奥側（図２において右側）の境界４０Ａの傾きに沿っている。これにより、トレイ１４が各受け入れ部２２Ａ〜Ｃに装着されたとき、境界４０Ａの通る位置が一定となる。
【００１６】
前述のように、受け入れ部２２ごとにトレイ１４上のＸ線照射範囲は異なるが、操作者は、トレイ１４を受け入れ部のいずれかに装着するときに、その受け入れ部において、トレイ１４上のどの範囲が照射範囲となるかは把握しづらい。そこで、このＸ線撮影装置１０のトレイ１４には、各受け入れ部２２Ａ〜Ｃのそれぞれに対応する照射範囲を示すマーク４２が付されている。
【００１７】
図３は、トレイ１４に付されたマーク４２を示す図である。このＸ線撮影装置１０においては、マーク４２は、トレイ１４の底面に描かれた４本の線である。個々の線について区別する必要がある場合、符号４２にＰおよびＡ〜Ｃの添え字を付して説明する。図３に示す矢印Ｙの方向がトレイ１４を受け入れ部２２に挿入する方向である。前述のようにファンビーム４０は走査され、これにより照射範囲は帯状の範囲となる。この装置においてはトレイ１４の挿入方向に交差する方向、好ましくは直交する方向に延びる帯状の範囲となる。
【００１８】
下段の受け入れ部２２Ａにトレイ１４を装着したときには、ファンビームの奥側の境界４０Ａはマーク４２Ｐの位置を、手前の境界４０Ｂはマーク４２Ａの位置を通過し、よって照射範囲はマーク４２Ｐとマーク４２Ａの間の範囲となる。中段の受け入れ部２２Ｂにトレイ１４を装着したときには、照射範囲はマーク４２Ｐとマーク４２Ｂの間となる。さらに、上段の受け入れ部２２Ｃでは、照射範囲は４２Ｐとマーク４２Ｃの間となる。各受け入れ部２２に対応した照射範囲は、一方の端、すなわち奥側のマーク４２Ｐは共通となっている。これは、前述の階段形状をしたストッパ３８の傾きによる。
【００１９】
検体をトレイ１４に載置するとき、奥側のマーク４２Ｐに合わせ、そのとき検体がどの照射範囲に収まるかを見ることによって、装着すべき受け入れ部２２が判断できる。例えば、検体全体を撮影したい場合、検体の一端を奥側のマーク４２Ｐに合わせてトレイ１４上に載置し、このとき検体の手前の端がマーク４２Ａとマーク４２Ｂの間にあれば、中段の受け入れ部２２Ｂにトレイ１４を装着することが適切である。検体の特定部位を撮影したい場合は、その部位が収まる範囲から装着すべき受け入れ部２２を選択する。
【００２０】
マーク４２は、底面に描かれたものに替えて、例えば底面に設けられた溝、条などとしてもよく、また底面ではない部分、例えば側面に設けられてもよい。また、階段形状のストッパ３８に替えて、トレイ１４があらかじめ定められた位置まで挿入されたとき係合する突起または突条と、穴または溝を、トレイ１４と支持フレーム２４に設け、これらの係合による手応えにより、トレイ１４の位置を操作者に知らせるようにしてもよい。この場合、トレイ１４を突起等により定められた位置より、更に奥に挿入できるようにしてもよい。
【００２１】
さらに、トレイを階段状に支持するのではなく、同じ位置に重なるように支持するようにしてもよい。この場合、照射範囲を示すマークは、焦点３０の真上の位置を中心に対称に配置される。さらにまた、Ｘ線のビームは、コーンビームであってもよい。この場合には照射範囲は、円形または方形に対応したマークで示すようにできる。トレイを階段状に支持し、円形のマークを用いる場合、各受け入れ部に対応した円形のマーク同士は、共通の１点で接するように配置される。また、トレイを階段状に支持し方形のマークを用いる場合、１辺が共通するように配置される。
【００２２】
さらに、Ｘ線発生器２６の焦点に最も近い位置に検体を置く場合には、基部１６の上面に直接検体を置くようにしてもよい。このとき、検体を置く載置台とされた基板１６の上面には、Ｘ線の照射範囲を示すマークを付してよい。
【図面の簡単な説明】
【００２３】
【図１】本実施形態のＸ線撮影装置の外観を示す図である。
【図２】本実施形態のＸ線撮影装置の内部構成の概略を示すブロック図である。
【図３】検体が載置されるトレイを示す図である。
【符号の説明】
【００２４】
１０  Ｘ線撮影装置、１２  本体、１４  トレイ、２２  受け入れ部、２４  支持フレーム、３０  焦点、３２  検出器、３８  ストッパ、４２  マーク。
【図１】
0005202045.tif 000002
【図２】
0005202045.tif 000003
【図３】
0005202045.tif 000004